(57)【要約】【課題】受信ユーザが希望するメディア形式にて内容情報を送信することが可能な通信制御装置を提供すること。【解決手段】この装置２１〜２４は第１の通信端末１１及び第２の通信端末１２を含む複数の通信端末とネットワークＮＷを介して接続されている。装置は第１のメディア形式にて第１の通信端末から送信された内容情報を受け付ける。装置は第２の通信端末のユーザである受信ユーザの現時点の状況を表すプレゼンス情報及び当該受信ユーザにより予め入力された当該受信ユーザの特徴を表すプロファイル情報のうちの少なくとも１つを含むユーザ情報を受け付ける。装置は受け付けたユーザ情報に基づいて第２のメディア形式を選択する。装置は受け付けた内容情報を第１のメディア形式から第２のメディア形式へ変換する。装置は受け付けた内容情報又は変換された内容情報を第２の通信端末へ送信する。【選択図】図１
2009272984.tif 000002
【特許請求の範囲】
【請求項１】
第１の通信端末及び第２の通信端末を含む複数の通信端末とネットワークを介して接続され、当該通信端末間の通信を制御する通信制御装置であって、
第１のメディア形式にて前記第１の通信端末から送信された内容情報を受け付ける内容情報受付手段と、
前記受け付けた内容情報を前記第１のメディア形式から第２のメディア形式へ変換する変換手段と、
前記受け付けた内容情報又は前記変換された内容情報を前記第２の通信端末へ送信する内容情報送信手段と、
前記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付手段と、を備え、
前記変換手段は、前記受け付けたユーザ情報に基づいて前記第２のメディア形式を選択するように構成された通信制御装置。
【請求項２】
請求項１に記載の通信制御装置であって、
前記第１の通信端末から送信された情報であって前記内容情報を送信する時刻を表す情報である送信時刻情報を受け付ける送信時刻情報受付手段を備え、
前記内容情報送信手段は、前記受け付けた送信時刻情報が表す時刻にて前記内容情報を送信するように構成された通信制御装置。
【請求項３】
請求項１又は請求項２に記載の通信制御装置であって、
前記第２のメディア形式は、前記内容情報を音声により表す音声形式であり、
前記第１の通信端末から送信された情報であって声質を表す情報である声質情報を受け付ける声質情報受付手段を備え、
前記変換手段は、前記受け付けた声質情報に基づいて前記内容情報を変換するように構成された通信制御装置。
【請求項４】
請求項１乃至請求項３のいずれか一項に記載の通信制御装置であって、
前記内容情報送信手段による前記内容情報の前記第２の通信端末への送信が完了した場合にその旨を表す送信完了情報を前記第１の通信端末へ送信する送信完了情報送信手段を備える通信制御装置。
【請求項５】
請求項１乃至請求項４のいずれか一項に記載の通信制御装置であって、
前記変換された内容情報を前記第１の通信端末へ送信する確認用内容情報送信手段を備える通信制御装置。
【請求項６】
第１の通信端末及び第２の通信端末を含む複数の通信端末と、
前記複数の通信端末とネットワークを介して接続され、当該通信端末間の通信を制御する通信制御装置と、を備える通信システムであって、
第１のメディア形式にて前記第１の通信端末から送信された内容情報を受け付ける内容情報受付手段と、
前記受け付けた内容情報を前記第１のメディア形式から第２のメディア形式へ変換する変換手段と、
前記受け付けた内容情報又は前記変換された内容情報を前記第２の通信端末へ送信する内容情報送信手段と、
前記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付手段と、を備え、
前記変換手段は、前記受け付けたユーザ情報に基づいて前記第２のメディア形式を選択するように構成された通信システム。
【請求項７】
請求項６に記載の通信システムであって、
前記第１の通信端末から送信された情報であって前記内容情報を送信する時刻を表す情報である送信時刻情報を受け付ける送信時刻情報受付手段を備え、
前記内容情報送信手段は、前記受け付けた送信時刻情報が表す時刻にて前記内容情報を送信するように構成された通信システム。
【請求項８】
請求項６又は請求項７に記載の通信システムであって、
前記第２のメディア形式は、前記内容情報を音声により表す音声形式であり、
前記第１の通信端末から送信された情報であって声質を表す情報である声質情報を受け付ける声質情報受付手段を備え、
前記変換手段は、前記受け付けた声質情報に基づいて前記内容情報を変換するように構成された通信システム。
【請求項９】
第１の通信端末及び第２の通信端末を含む複数の通信端末間の通信を制御する通信制御方法であって、
第１のメディア形式にて前記第１の通信端末から送信された内容情報を受け付ける内容情報受付工程と、
前記受け付けた内容情報を前記第１のメディア形式から第２のメディア形式へ変換する変換工程と、
前記受け付けた内容情報又は前記変換された内容情報を前記第２の通信端末へ送信する内容情報送信工程と、
少なくとも前記変換工程に先立って、前記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付工程と、を含み、
前記変換工程は、前記受け付けたユーザ情報に基づいて前記第２のメディア形式を選択するように構成された通信制御方法。
【請求項１０】
請求項９に記載の通信制御方法であって、
少なくとも前記内容情報送信工程に先立って、前記第１の通信端末から送信された情報であって前記内容情報を送信する時刻を表す情報である送信時刻情報を受け付ける送信時刻情報受付工程を備え、
前記内容情報送信工程は、前記受け付けた送信時刻情報が表す時刻にて前記内容情報を送信するように構成された通信制御方法。
【請求項１１】
請求項９又は請求項１０に記載の通信制御方法であって、
前記第２のメディア形式は、前記内容情報を音声により表す音声形式であり、
少なくとも前記変換工程に先立って、前記第１の通信端末から送信された情報であって声質を表す情報である声質情報を受け付ける声質情報受付工程を備え、
前記変換工程は、前記受け付けた声質情報に基づいて前記内容情報を変換するように構成された通信制御方法。
【請求項１２】
第１の通信端末及び第２の通信端末を含む複数の通信端末とネットワークを介して接続され、当該通信端末間の通信を制御する通信制御装置に、
第１のメディア形式にて前記第１の通信端末から送信された内容情報を受け付ける内容情報受付手段と、
前記受け付けた内容情報を前記第１のメディア形式から第２のメディア形式へ変換する変換手段と、
前記受け付けた内容情報又は前記変換された内容情報を前記第２の通信端末へ送信する内容情報送信手段と、
前記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付手段と、を実現させるとともに、
前記変換手段は、前記受け付けたユーザ情報に基づいて前記第２のメディア形式を選択するように構成された通信制御プログラム。
【請求項１３】
請求項１２に記載の通信制御プログラムであって、
更に、前記通信制御装置に、
前記第１の通信端末から送信された情報であって前記内容情報を送信する時刻を表す情報である送信時刻情報を受け付ける送信時刻情報受付手段を実現させるとともに、
前記内容情報送信手段は、前記受け付けた送信時刻情報が表す時刻にて前記内容情報を送信するように構成された通信制御プログラム。
【請求項１４】
請求項１２又は請求項１３に記載の通信制御プログラムであって、
前記第２のメディア形式は、前記内容情報を音声により表す音声形式であり、
更に、前記通信制御装置に、
前記第１の通信端末から送信された情報であって声質を表す情報である声質情報を受け付ける声質情報受付手段を実現させるとともに、
前記変換手段は、前記受け付けた声質情報に基づいて前記内容情報を変換するように構成された通信制御プログラム。
【発明の詳細な説明】
【技術分野】
【０００１】
本発明は、複数の通信端末とネットワークを介して接続され、当該通信端末間の通信を制御する通信制御装置に関する。
【背景技術】
【０００２】
複数の通信端末とネットワークを介して接続され、当該通信端末間の通信を制御する通信制御装置が知られている。この種の通信制御装置の一つとして特許文献１に記載の通信制御装置は、予め設定された特定のメールアドレスを宛先とするメールを受信した場合、そのメールの本文内のメッセージ部を表すテキスト形式の内容情報を、そのメッセージ部を読み上げた音声形式の内容情報に変換する（即ち、テキスト（文字列）を表す内容情報から音声を表す内容情報へ変換する）。そして、通信制御装置は、変換した内容情報を、上記本文内の送信先情報部が表す送信先の通信端末（受信ユーザの通信端末）へ送信する。
【０００３】
この通信制御装置によれば、受信ユーザの通信端末がテキスト形式の情報を出力（表示）できない場合であっても、上記メールを送信した通信端末のユーザ（送信ユーザ）は、テキスト形式にて内容情報を入力することにより、受信ユーザにその内容情報を伝達することができる。即ち、このような場合であっても、送信ユーザが入力する内容情報のメディア形式を選択する自由度が低くなることを回避することができる。
【特許文献１】特開２００７−６２３８号公報
【発明の開示】
【発明が解決しようとする課題】
【０００４】
ところで、受信ユーザの通信端末が携帯型の通信端末である場合において、受信ユーザが電車に乗っているときには、テキスト形式にて内容情報を受信することを受信ユーザが希望し、一方、電車に乗っていないときには音声形式にて内容情報を受信することを受信ユーザが希望することが多い。即ち、受信ユーザの状況が変化すると、受信ユーザが受信することを希望するメディア形式が変化する。
【０００５】
また、例えば、受信ユーザが聴覚に障害を有する場合には、受信ユーザは、テキスト形式にて内容情報を受信することを希望する。また、受信ユーザが視覚に障害を有する場合には、受信ユーザは、音声形式にて内容情報を受信することを希望する。このように、受信ユーザの特徴に応じて受信ユーザが受信することを希望するメディア形式が変化する。
【０００６】
しかしながら、上記通信制御装置によれば、受信ユーザの通信端末へ送信される内容情報のメディア形式は、受信ユーザの状況及び／又は受信ユーザの特徴に関係なく、送信ユーザによって決定される。この結果、上記通信制御装置によれば、受信ユーザが希望するメディア形式にて内容情報を受信することができない場合が生じるという問題があった。即ち、送信ユーザから受信ユーザへ内容情報を迅速且つ確実に伝達することができない虞があった。
【０００７】
このため、本発明の目的は、上述した課題である「受信ユーザが希望するメディア形式にて内容情報を受信することができない場合が生じること」を解決することが可能な通信制御装置を提供することにある。
【課題を解決するための手段】
【０００８】
かかる目的を達成するため本発明の一形態である通信制御装置は、
第１の通信端末及び第２の通信端末を含む複数の通信端末とネットワークを介して接続され、当該通信端末間の通信を制御する装置である。
【０００９】
更に、この通信制御装置は、
第１のメディア形式にて上記第１の通信端末から送信された内容情報を受け付ける内容情報受付手段と、
上記受け付けた内容情報を上記第１のメディア形式から第２のメディア形式へ変換する変換手段と、
上記受け付けた内容情報又は上記変換された内容情報を上記第２の通信端末へ送信する内容情報送信手段と、
上記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付手段と、を備え、
上記変換手段は、上記受け付けたユーザ情報に基づいて上記第２のメディア形式を選択するように構成される。
【００１０】
また、本発明の他の形態である通信システムは、
第１の通信端末及び第２の通信端末を含む複数の通信端末と、
上記複数の通信端末とネットワークを介して接続され、当該通信端末間の通信を制御する通信制御装置と、を備えるシステムである。
【００１１】
更に、この通信システムは、
第１のメディア形式にて上記第１の通信端末から送信された内容情報を受け付ける内容情報受付手段と、
上記受け付けた内容情報を上記第１のメディア形式から第２のメディア形式へ変換する変換手段と、
上記受け付けた内容情報又は上記変換された内容情報を上記第２の通信端末へ送信する内容情報送信手段と、
上記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付手段と、を備え、
上記変換手段は、上記受け付けたユーザ情報に基づいて上記第２のメディア形式を選択するように構成される。
【００１２】
また、本発明の他の形態である通信制御方法は、
第１の通信端末及び第２の通信端末を含む複数の通信端末間の通信を制御する方法である。
【００１３】
更に、この通信制御方法は、
第１のメディア形式にて上記第１の通信端末から送信された内容情報を受け付ける内容情報受付工程と、
上記受け付けた内容情報を上記第１のメディア形式から第２のメディア形式へ変換する変換工程と、
上記受け付けた内容情報又は上記変換された内容情報を上記第２の通信端末へ送信する内容情報送信工程と、
少なくとも上記変換工程に先立って、上記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付工程と、を含み、
上記変換工程は、上記受け付けたユーザ情報に基づいて上記第２のメディア形式を選択するように構成される。
【００１４】
また、本発明の他の形態である通信制御プログラムは、
第１の通信端末及び第２の通信端末を含む複数の通信端末とネットワークを介して接続され、当該通信端末間の通信を制御する通信制御装置に、
第１のメディア形式にて上記第１の通信端末から送信された内容情報を受け付ける内容情報受付手段と、
上記受け付けた内容情報を上記第１のメディア形式から第２のメディア形式へ変換する変換手段と、
上記受け付けた内容情報又は上記変換された内容情報を上記第２の通信端末へ送信する内容情報送信手段と、
上記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付手段と、を実現させるとともに、
上記変換手段は、上記受け付けたユーザ情報に基づいて上記第２のメディア形式を選択するように構成される。
【発明の効果】
【００１５】
本発明は、以上のように構成されることにより、受信ユーザが希望するメディア形式にて内容情報を送信することができる。
【発明を実施するための最良の形態】
【００１６】
本発明の一形態である通信制御装置は、
第１の通信端末及び第２の通信端末を含む複数の通信端末とネットワークを介して接続され、当該通信端末間の通信を制御する装置である。
【００１７】
更に、この通信制御装置は、
第１のメディア形式にて上記第１の通信端末から送信された内容情報を受け付ける内容情報受付手段と、
上記受け付けた内容情報を上記第１のメディア形式から第２のメディア形式へ変換する変換手段と、
上記受け付けた内容情報又は上記変換された内容情報を上記第２の通信端末へ送信する内容情報送信手段と、
上記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付手段と、を備え、
上記変換手段は、上記受け付けたユーザ情報に基づいて上記第２のメディア形式を選択するように構成される。
【００１８】
これによれば、通信制御装置は、受信ユーザの状況及び／又は受信ユーザの特徴に応じたメディア形式にて内容情報を第２の通信端末（送信先の通信端末）へ送信する。即ち、通信制御装置は、受信ユーザが希望するメディア形式にて内容情報を送信する。これにより、第２の通信端末は、受信ユーザが希望するメディア形式にて内容情報を受信することができる。この結果、送信ユーザ（第１の通信端末のユーザ）から受信ユーザへ内容情報を迅速且つ確実に伝達することができる。
【００１９】
この場合、
上記通信制御装置は、
上記第１の通信端末から送信された情報であって上記内容情報を送信する時刻を表す情報である送信時刻情報を受け付ける送信時刻情報受付手段を備え、
上記内容情報送信手段は、上記受け付けた送信時刻情報が表す時刻にて上記内容情報を送信するように構成されることが好適である。
【００２０】
これによれば、通信制御装置は、送信ユーザが入力した送信時刻情報が表す時刻にて内容情報を送信する。この結果、送信ユーザは、送信したい時刻にて確実に内容情報を送信させることができる。
【００２１】
この場合、
上記第２のメディア形式は、上記内容情報を音声により表す音声形式であり、
上記第１の通信端末から送信された情報であって声質を表す情報である声質情報を受け付ける声質情報受付手段を備え、
上記変換手段は、上記受け付けた声質情報に基づいて上記内容情報を変換するように構成されることが好適である。
【００２２】
これによれば、送信ユーザが入力した声質情報が表す声質の音声を、受信ユーザに聞かせることができる。
【００２３】
この場合、
上記通信制御装置は、
上記内容情報送信手段による上記内容情報の上記第２の通信端末への送信が完了した場合にその旨を表す送信完了情報を上記第１の通信端末へ送信する送信完了情報送信手段を備えることが好適である。
【００２４】
これによれば、送信ユーザは、内容情報の送信が完了した旨を認識することができる。この結果、送信ユーザは、その旨に応じて迅速に行動することができる。即ち、送信ユーザの利便性を向上させることができる。
【００２５】
この場合、
上記通信制御装置は、
上記変換された内容情報を上記第１の通信端末へ送信する確認用内容情報送信手段を備えることが好適である。
【００２６】
これによれば、送信ユーザは、変換された内容情報を確認することができる。即ち、送信ユーザの利便性を向上させることができる。
【００２７】
また、本発明の他の形態である通信システムは、
第１の通信端末及び第２の通信端末を含む複数の通信端末と、
上記複数の通信端末とネットワークを介して接続され、当該通信端末間の通信を制御する通信制御装置と、を備えるシステムである。
【００２８】
更に、この通信システムは、
第１のメディア形式にて上記第１の通信端末から送信された内容情報を受け付ける内容情報受付手段と、
上記受け付けた内容情報を上記第１のメディア形式から第２のメディア形式へ変換する変換手段と、
上記受け付けた内容情報又は上記変換された内容情報を上記第２の通信端末へ送信する内容情報送信手段と、
上記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付手段と、を備え、
上記変換手段は、上記受け付けたユーザ情報に基づいて上記第２のメディア形式を選択するように構成される。
【００２９】
この場合、
上記通信システムは、
上記第１の通信端末から送信された情報であって上記内容情報を送信する時刻を表す情報である送信時刻情報を受け付ける送信時刻情報受付手段を備え、
上記内容情報送信手段は、上記受け付けた送信時刻情報が表す時刻にて上記内容情報を送信するように構成されることが好適である。
【００３０】
この場合、
上記第２のメディア形式は、上記内容情報を音声により表す音声形式であり、
上記第１の通信端末から送信された情報であって声質を表す情報である声質情報を受け付ける声質情報受付手段を備え、
上記変換手段は、上記受け付けた声質情報に基づいて上記内容情報を変換するように構成されることが好適である。
【００３１】
また、本発明の他の形態である通信制御方法は、
第１の通信端末及び第２の通信端末を含む複数の通信端末間の通信を制御する方法である。
【００３２】
更に、この通信制御方法は、
第１のメディア形式にて上記第１の通信端末から送信された内容情報を受け付ける内容情報受付工程と、
上記受け付けた内容情報を上記第１のメディア形式から第２のメディア形式へ変換する変換工程と、
上記受け付けた内容情報又は上記変換された内容情報を上記第２の通信端末へ送信する内容情報送信工程と、
少なくとも上記変換工程に先立って、上記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付工程と、を含み、
上記変換工程は、上記受け付けたユーザ情報に基づいて上記第２のメディア形式を選択するように構成される。
【００３３】
この場合、
上記通信制御方法は、
少なくとも上記内容情報送信工程に先立って、上記第１の通信端末から送信された情報であって上記内容情報を送信する時刻を表す情報である送信時刻情報を受け付ける送信時刻情報受付工程を備え、
上記内容情報送信工程は、上記受け付けた送信時刻情報が表す時刻にて上記内容情報を送信するように構成されることが好適である。
【００３４】
この場合、
上記第２のメディア形式は、上記内容情報を音声により表す音声形式であり、
少なくとも上記変換工程に先立って、上記第１の通信端末から送信された情報であって声質を表す情報である声質情報を受け付ける声質情報受付工程を備え、
上記変換工程は、上記受け付けた声質情報に基づいて上記内容情報を変換するように構成されることが好適である。
【００３５】
また、本発明の他の形態である通信制御プログラムは、
第１の通信端末及び第２の通信端末を含む複数の通信端末とネットワークを介して接続され、当該通信端末間の通信を制御する通信制御装置に、
第１のメディア形式にて上記第１の通信端末から送信された内容情報を受け付ける内容情報受付手段と、
上記受け付けた内容情報を上記第１のメディア形式から第２のメディア形式へ変換する変換手段と、
上記受け付けた内容情報又は上記変換された内容情報を上記第２の通信端末へ送信する内容情報送信手段と、
上記第２の通信端末のユーザである受信ユーザの現時点の状況を表すプレゼンス情報、及び、当該受信ユーザにより予め入力された当該受信ユーザの特徴を表すプロファイル情報、のうちの少なくとも１つを含むユーザ情報を受け付けるユーザ情報受付手段と、を実現させるとともに、
上記変換手段は、上記受け付けたユーザ情報に基づいて上記第２のメディア形式を選択するように構成される。
【００３６】
この場合、
上記通信制御プログラムは、
更に、上記通信制御装置に、
上記第１の通信端末から送信された情報であって上記内容情報を送信する時刻を表す情報である送信時刻情報を受け付ける送信時刻情報受付手段を実現させるとともに、
上記内容情報送信手段は、上記受け付けた送信時刻情報が表す時刻にて上記内容情報を送信するように構成されることが好適である。
【００３７】
この場合、
上記第２のメディア形式は、上記内容情報を音声により表す音声形式であり、
更に、上記通信制御装置に、
上記第１の通信端末から送信された情報であって声質を表す情報である声質情報を受け付ける声質情報受付手段を実現させるとともに、
上記変換手段は、上記受け付けた声質情報に基づいて上記内容情報を変換するように構成されることが好適である。
【００３８】
上述した構成を有する、通信システム、通信制御方法、又は、通信制御プログラム、の発明であっても、上記通信制御装置と同様の作用を有するために、上述した本発明の目的を達成することができる。
【００３９】
以下、本発明に係る、通信制御装置、通信システム、通信制御方法、及び、通信制御プログラム、の各実施形態について図１〜図８を参照しながら説明する。
【００４０】
＜第１実施形態＞
図１に示したように、第１実施形態に係る通信システム１は、２つの通信端末１１，１２と、呼制御サーバ（ＣＣサーバ）２１と、プレゼンスサーバ（ＰＲサーバ）２２と、メディアサーバ（ＭＲサーバ）２３と、アプリケーションサーバ（ＡＰＬサーバ）２４と、ＳＩＰ（Ｓｅｓｓｉｏｎ  Ｉｎｉｔｉａｔｉｏｎ  Ｐｒｏｔｏｃｏｌ）サーバ３０と、を含む。なお、ＣＣサーバ２１、ＰＲサーバ２２、ＭＲサーバ２３及びＡＰＬサーバ２４は、通信制御装置を構成している。
【００４１】
ＣＣサーバ２１、ＰＲサーバ２２、及び、ＭＲサーバ２３（サーバ２１〜２３）のそれぞれは、ＳＩＰサーバ３０と通信可能に接続されている。また、サーバ２１〜２３のそれぞれは、ＡＰＬサーバ２４と通信可能に接続されている。ＳＩＰサーバ３０は、ネットワークＮＷに接続されている。
【００４２】
各通信端末１１，１２は、携帯電話端末である。通信端末（第１の通信端末）１１は、ユーザ（送信ユーザ）ＵＡにより保持されている。通信端末１１は、送信側通信端末とも呼ばれる。通信端末（第２の通信端末）１２は、ユーザ（受信ユーザ）ＵＢにより保持されている。通信端末１２は、受信側通信端末とも呼ばれる。
【００４３】
通信端末１１及び通信端末１２は、図示しないゲートウェイ及びＳＩＰサーバを介してネットワークＮＷに接続されている。これにより、各通信端末１１，１２と、サーバ２１〜２３と、の間で通信を行うことができる。
【００４４】
各通信端末１１，１２は、ユーザの操作（ユーザにより入力された情報）に基づいて、発呼要求をＣＣサーバ２１へ送信する。ここで、発呼要求は、送信先の通信端末（受信側通信端末）を識別する受信側端末識別情報（例えば、電話番号）を含み、その通信端末との間で通信を行うことを要求する旨を表す。
【００４５】
また、各通信端末１１，１２は、ユーザの操作に基づいて、ユーザ情報をＰＲサーバ２２へ送信する。ここで、ユーザ情報は、プレゼンス情報とプロファイル情報とを含む。プレゼンス情報は、ユーザの現時点の状況（例えば、「在席中」、「離席中」、「会議中」、「電車内」、「電車外」等）を表す情報である。また、プロファイル情報は、ユーザの特徴（例えば、「視覚に障害を有する」、「聴覚に障害を有する」、「障害を有しない」等）を表す情報である。
【００４６】
ＳＩＰサーバ３０は、図示しない中央処理装置（ＣＰＵ；Ｃｅｎｔｒａｌ  Ｐｒｏｃｅｓｓｉｎｇ  Ｕｎｉｔ）、記憶装置（メモリ及びハードディスク装置（ＨＤＤ；Ｈａｒｄ  Ｄｉｓｋ  Ｄｒｉｖｅ））及び通信装置を備えている。ＳＩＰサーバ３０は、記憶装置に記憶されているプログラムをＣＰＵが実行することにより、後述する機能を実現するように構成されている。
【００４７】
ＳＩＰサーバ３０は、他のＳＩＰサーバ、通信端末１１，１２及びサーバ２１〜２３との間でＳＩＰに従ったメッセージ（要求（リクエスト）及び応答（レスポンス）等）を授受することにより、通信を制御する。
【００４８】
ＣＣサーバ２１、ＰＲサーバ２２、ＭＲサーバ２３及びＡＰＬサーバ２４のそれぞれは、図示しないＣＰＵ、記憶装置（メモリ及びＨＤＤ）及び通信装置を備えている。ＣＣサーバ２１、ＰＲサーバ２２、ＭＲサーバ２３及びＡＰＬサーバ２４のそれぞれは、記憶装置に記憶されているプログラムをＣＰＵが実行することにより、後述する機能を実現するように構成されている。
【００４９】
ＣＣサーバ２１は、通信端末１１，１２から送信された発呼要求をＳＩＰサーバ３０を介して受け付けると、発呼要求に含まれる受信側端末識別情報と、発呼要求を送信してきた通信端末（送信側通信端末）１１，１２を識別する送信側端末識別情報と、を含む発呼通知をＡＰＬサーバ２４へ送信する。
【００５０】
更に、ＣＣサーバ２１は、ＡＰＬサーバ２４からの指示に応じて、通信端末１１と通信端末１２との間にセッションを確立するためのメッセージを、ＳＩＰサーバ３０を介して通信端末１１及び通信端末１２へ送信する。また、ＣＣサーバ２１は、ＡＰＬサーバ２４からの指示に応じて、通信端末１１，１２とサーバ２２〜２４との間にセッションを確立するためのメッセージを、ＳＩＰサーバ３０を介して通信端末１１，１２及びサーバ２２〜２４へ送信する。
【００５１】
ＰＲサーバ２２は、通信端末１１，１２から送信されたユーザ情報をＳＩＰサーバ３０を介して受け付ける。ＰＲサーバ２２は、受け付けたユーザ情報をそのユーザ情報を送信してきた通信端末１１，１２を識別する端末識別情報と対応付けて記憶装置に記憶させる。
【００５２】
また、ＰＲサーバ２２は、ＡＰＬサーバ２４から送信されたユーザ情報要求を受け付ける。このユーザ情報要求は、端末識別情報を含み、その端末識別情報と対応付けて記憶されているユーザ情報の送信を要求する旨を表す。ＰＲサーバ２２は、受け付けたユーザ情報要求に応じて、そのユーザ情報要求に含まれる端末識別情報と対応付けて記憶されているユーザ情報をＡＰＬサーバ２４へ送信する。
【００５３】
ＭＲサーバ２３は、テキスト形式の内容情報（コンテンツデータ）、音声形式の内容情報、及び、映像形式の内容情報等を記憶装置に記憶させている。この内容情報は、予め記憶された情報、及び、通信端末１１，１２又はＡＰＬサーバ２４から受け付けた情報である。なお、テキスト形式の内容情報は、テキスト（文字列）を表す情報であり、音声形式の内容情報は、音声を表す情報であり、映像形式の内容情報は、音声及び映像（動画）を表す情報である。
【００５４】
ＭＲサーバ２３は、ＡＰＬサーバ２４から送信メディア情報を受け付ける。ここで、送信メディア情報は、ＭＲサーバ２３が通信端末１１，１２へ送信する内容情報のメディア形式を表す情報である。
【００５５】
ＭＲサーバ２３は、記憶装置に記憶されている内容情報又は新たに通信端末１１，１２から受け付ける内容情報を、その内容情報のメディア形式から上記送信メディア情報が表すメディア形式へ変換する。
【００５６】
ＭＲサーバ２３は、内容情報をテキスト形式から音声形式へ変換するためのテキスト音声変換（ＴＴＳ；Ｔｅｘｔ  ｔｏ  Ｓｐｅｅｃｈ）機能と、内容情報を音声形式からテキスト形式へ変換するための自動音声認識（ＡＳＲ；Ａｕｔｏｍａｔｉｃ  Ｓｐｅｅｃｈ  Ｒｅｃｏｇｎｉｔｉｏｎ）機能と、を有する。更に、ＴＴＳ機能は、指定された声質の音声を表す内容情報を生成する機能を有する。
【００５７】
ＴＴＳ機能の詳細については、例えば、特開２００７−１６３８７５号公報等に記載されているので、本明細書においては省略する。また、ＡＳＲ機能の詳細についても、例えば、特開２００７−２５６８３６号公報等に記載されているので、本明細書においては省略する。
【００５８】
更に、ＭＲサーバ２３は、映像形式の内容情報のうちの音声部分のみを抽出することにより、内容情報を映像形式から音声形式へ変換する。また、ＭＲサーバ２３は、映像形式の内容情報のうちの音声部分を抽出し、抽出した音声形式の内容情報をＴＴＳ機能によりテキスト形式へ変換することにより、内容情報を映像形式からテキスト形式へ変換する。
【００５９】
そして、ＭＲサーバ２３は、記憶装置に記憶されている内容情報、通信端末１１，１２から受け付けた内容情報、又は、変換した内容情報を、通信端末１１，１２へ送信する。
【００６０】
ＡＰＬサーバ２４は、ＣＣサーバ２１から送信された発呼通知を受け付ける。ＡＰＬサーバ２４は、受け付けた発呼通知に含まれる受信側端末識別情報を端末識別情報として含むユーザ情報要求をＰＲサーバ２２へ送信する。ＡＰＬサーバ２４は、そのユーザ情報要求に応じてＰＲサーバ２２から送信されたユーザ情報を受け付ける。
【００６１】
ＡＰＬサーバ２４は、プロファイル情報とプレゼンス情報とメディア形式とを対応付けた送信メディア形式テーブルを予め記憶装置に記憶させている。ＡＰＬサーバ２４は、上記受け付けたユーザ情報に含まれるプロファイル情報及びプレゼンス情報と、上記記憶されている送信メディア形式テーブルと、に基づいて、ＭＲサーバ２３が受信側通信端末へ送信する内容情報のメディア形式（第２のメディア形式）を選択する。
【００６２】
ＡＰＬサーバ２４は、選択したメディア形式を表す送信メディア情報をＭＲサーバ２３へ送信する。更に、ＡＰＬサーバ２４は、送信側通信端末とＭＲサーバ２３との間にセッションを確立するための指示、及び、受信側通信端末とＭＲサーバ２３との間にセッションを確立するための指示、をＣＣサーバ２１へ送信する。
【００６３】
図２は、上記のように構成された、ＣＣサーバ２１、ＰＲサーバ２２、ＭＲサーバ２３及びＡＰＬサーバ２４の機能（通信制御装置の機能）のうちの本発明に係る機能を表すブロック図である。この機能は、各サーバ２１〜２４のＣＰＵが記憶装置に記憶されているプログラムを実行することにより実現される。
【００６４】
通信制御装置の機能は、ユーザ情報受付部（ユーザ情報受付手段）３１と、内容情報受付部（内容情報受付手段）３２と、変換部（変換手段）３３と、内容情報送信部（内容情報送信手段）３４と、を含む。
【００６５】
ユーザ情報受付部３１は、受信側通信端末１２から送信されたユーザ情報を受け付ける。ここで、ユーザ情報は、プレゼンス情報及びプロファイル情報を含む。ユーザ情報受付部３１は、受け付けたユーザ情報を変換部３３へ送る。ユーザ情報受付部３１は、ＰＲサーバ２２が通信端末１２からユーザ情報を受け付けること、及び、ＰＲサーバ２２がユーザ情報要求に応じてユーザ情報をＡＰＬサーバ２４へ送信すること、に対応している。
【００６６】
内容情報受付部３２は、送信側通信端末１１から送信された内容情報を受け付ける。内容情報受付部３２は、受け付けた内容情報を変換部３３へ送る。内容情報受付部３２は、ＭＲサーバ２３が通信端末１１から内容情報を受け付けることに対応している。
【００６７】
変換部３３は、メディア形式選択部３３ａと、変換処理部３３ｂと、を含む。メディア形式選択部３３ａは、ユーザ情報受付部３１から受け取ったユーザ情報に基づいてメディア形式を選択する。変換処理部３３ｂは、内容情報受付部３２から受け取った内容情報のメディア形式（第１のメディア形式）と、選択したメディア形式（第２のメディア形式）と、が相違している場合、内容情報受付部３２から受け取った内容情報を、第１のメディア形式から第２のメディア形式へ変換する。
【００６８】
そして、変換部３３は、第１のメディア形式と第２のメディア形式とが一致している場合に内容情報受付部３２から受け取った内容情報を内容情報送信部３４へ送り、一方、第１のメディア形式と第２のメディア形式とが相違している場合に変換した内容情報を内容情報送信部３４へ送る。
【００６９】
メディア形式選択部３３ａは、ＡＰＬサーバ２４がユーザ情報に基づいてメディア形式を選択することに対応している。変換処理部３３ｂは、ＭＲサーバ２３が、通信端末１１から受け付けた内容情報をＡＰＬサーバ２４により選択されたメディア形式へ変換することに対応している。
【００７０】
内容情報送信部３４は、変換部３３から受け取った内容情報を受信側通信端末１２へ送信する。内容情報送信部３４は、ＭＲサーバ２３が、変換した内容情報又は送信側通信端末１１から受け取った内容情報を、受信側通信端末１２へ送信することに対応している。
【００７１】
次に、上述した通信システム１の作動のうちの本発明に係る作動について、図３及び図４を参照しながら説明する。図３は、通信システム１の作動を示すシーケンス図である。図４は、通信システム１内の情報の流れを概念的に示した説明図である。
【００７２】
先ず、受信ユーザＵＢが受信側通信端末１２を操作することにより、受信側通信端末１２は、ユーザ情報をＰＲサーバ２２へ送信する（図３のステップＳ１１、図３及び図４の矢印（Ａ））。
【００７３】
いま、このユーザ情報が「電車内」を表すプレゼンス情報を含む場合を想定して説明を続ける。更に、ＡＰＬサーバ２４の記憶装置に記憶されている送信メディア形式テーブルにおいては、プレゼンス情報としての「電車内」と、メディア形式としての「テキスト形式」と、が対応付けて記憶されている場合を想定する。
【００７４】
これにより、ＰＲサーバ２２は、受信側通信端末１２からユーザ情報を受け付け、受け付けたユーザ情報と、受信側通信端末１２を識別する端末識別情報と、を対応付けて記憶装置に記憶させる（ユーザ情報受付工程の一部）。
【００７５】
その後、送信ユーザＵＡが送信側通信端末１１を操作することにより、送信側通信端末１１は、受信側通信端末１２を識別する受信側端末識別情報を含む発呼要求をＣＣサーバ２１へ送信する（図３のステップＳ１２、図３及び図４の矢印（１））。
【００７６】
次いで、ＣＣサーバ２１は、送信側通信端末１１から発呼要求を受け付けると、発呼要求に含まれる受信側端末識別情報と、送信側通信端末１１を識別する送信側端末識別情報と、を含む発呼通知をＡＰＬサーバ２４へ送信する（図３のステップＳ１３、図３及び図４の矢印（２））。
【００７７】
そして、ＡＰＬサーバ２４は、ＣＣサーバ２１から発呼通知を受け付けると、受け付けた発呼通知に含まれる受信側端末識別情報を端末識別情報として含むユーザ情報要求をＰＲサーバ２２へ送信する（図３のステップＳ１４、図３及び図４の矢印（３））。
【００７８】
次いで、ＰＲサーバ２２は、ＡＰＬサーバ２４からユーザ情報要求を受け付けると、受け付けたユーザ情報要求に応じて、そのユーザ情報要求に含まれる端末識別情報と対応付けて記憶されているユーザ情報をＡＰＬサーバ２４へ送信する（図３のステップＳ１５、図３及び図４の矢印（４）、ユーザ情報受付工程の一部）。
【００７９】
そして、ＡＰＬサーバ２４は、ＰＲサーバ２２からユーザ情報を受け付けると、受け付けたユーザ情報と、記憶されている送信メディア形式テーブルと、に基づいて、第２のメディア形式を選択する。上記仮定に従えば、ＡＰＬサーバ２４は、第２のメディア形式としてテキスト形式を選択する。そして、ＡＰＬサーバ２４は、選択した第２のメディア形式（ここでは、テキスト形式）を表す送信メディア情報をＭＲサーバ２３へ送信する（図３のステップＳ１６、図３及び図４の矢印（５）、変換工程の一部）。
【００８０】
次いで、ＡＰＬサーバ２４は、送信側通信端末１１とＭＲサーバ２３との間にセッションを確立するための指示をＣＣサーバ２１へ送信する。更に、ＡＰＬサーバ２４は、受信側通信端末１２とＭＲサーバ２３との間にセッションを確立するための指示をＣＣサーバ２１へ送信する（図３のステップＳ１７、図３及び図４の矢印（６））。
【００８１】
そして、ＣＣサーバ２１は、送信側通信端末１１とＭＲサーバ２３との間にセッションを確立するためのメッセージを送信側通信端末１１及びＭＲサーバ２３へ送信する（図３のステップＳ１８、図３及び図４の矢印（７））。これにより、送信側通信端末１１とＭＲサーバ２３との間にセッションが確立される（送信側通信端末１１とＭＲサーバ２３とが通信可能な状態に制御（設定）される）。
【００８２】
次いで、ＣＣサーバ２１は、受信側通信端末１２とＭＲサーバ２３との間にセッションを確立するためのメッセージを受信側通信端末１２及びＭＲサーバ２３へ送信する（図３のステップＳ１９、図３及び図４の矢印（７））。これにより、受信側通信端末１２とＭＲサーバ２３との間にセッションが確立される。
【００８３】
そして、送信ユーザＵＡは、発声することにより音声形式（第１のメディア形式）にて内容情報を送信側通信端末１１に入力する。これにより、送信側通信端末１１は、送信ユーザＵＡにより入力された内容情報をＭＲサーバ２３へ送信する（図３のステップＳ２０、図３及び図４の矢印（８））。
【００８４】
次いで、ＭＲサーバ２３は、送信側通信端末１１から内容情報を受け付ける（内容情報受付工程）。ＭＲサーバ２３は、受け付けた内容情報を、音声形式からテキスト形式（第２のメディア形式）へ変換する（図３のステップＳ２１、変換工程の一部）。
【００８５】
そして、ＭＲサーバ２３は、変換した内容情報を受信側通信端末１２へ送信する（図３のステップＳ２２、図３及び図４の矢印（９）、内容情報送信工程）。これにより、受信側通信端末１２は、テキスト形式にて内容情報を受信する。この結果、受信ユーザＵＢは、テキスト形式にて内容情報を受け取ることができる。
【００８６】
次に、「電車外」を表すプレゼンス情報を含むユーザ情報が受信側通信端末１２からＰＲサーバ２２へ送信された場合について説明する。更に、ＡＰＬサーバ２４の記憶装置に記憶されている送信メディア形式テーブルにおいては、プレゼンス情報としての「電車外」と、メディア形式としての「音声形式」と、が対応付けて記憶されている場合を想定する。
【００８７】
この場合、ＡＰＬサーバ２４は、第２のメディア形式として音声形式を選択する。従って、ＭＲサーバ２３は、音声形式の内容情報を送信側通信端末１１から受け付けたとき、受け付けた内容情報を変換することなく受信側通信端末１２へ送信する。これにより、受信側通信端末１２は、音声形式にて内容情報を受信する。この結果、受信ユーザＵＢは、音声形式にて内容情報を受け取る（即ち、送信ユーザＵＡが発声した音声を聞く）ことができる。
【００８８】
また、通信システム１は、送信ユーザＵＡが送信側通信端末１１を操作することによりテキスト形式（第１のメディア形式）にて内容情報を入力した場合も、上述した場合と同様に作動する。
【００８９】
具体的には、ＡＰＬサーバ２４は、受信ユーザＵＢにより入力されたユーザ情報に基づいて第２のメディア形式を選択する。そして、第２のメディア形式として音声形式が選択された（即ち、第１のメディア形式と第２のメディア形式とが相違する）場合には、ＭＲサーバ２３は、送信側通信端末１１から受け付けた内容情報を、第１のメディア形式（テキスト形式）から第２のメディア形式（音声形式）に変換し、変換した内容情報を受信側通信端末１２へ送信する。これにより、受信ユーザＵＢは、音声形式にて内容情報を受け取ることができる。
【００９０】
一方、第２のメディア形式としてテキスト形式が選択された（即ち、第１のメディア形式と第２のメディア形式とが一致する）場合には、ＭＲサーバ２３は、送信側通信端末１１から受け付けた内容情報を変換することなく受信側通信端末１２へ送信する。これにより、受信ユーザＵＢは、テキスト形式にて内容情報を受け取ることができる。
【００９１】
以上、説明したように、本発明による通信制御装置の第１実施形態によれば、受信ユーザＵＢの状況及び／又は受信ユーザＵＢの特徴に応じたメディア形式の内容情報が受信側通信端末１２へ送信される。即ち、通信制御装置は、受信ユーザＵＢが希望するメディア形式にて内容情報を送信する。これにより、受信側通信端末１２は、受信ユーザＵＢが希望するメディア形式にて内容情報を受信することができる。この結果、送信ユーザＵＡから受信ユーザＵＢへ内容情報を迅速且つ確実に伝達することができる。
【００９２】
なお、上記第１実施形態は、メディア形式を変換しない場合であってもＭＲサーバ２３を介して送信側通信端末１１と受信側通信端末１２とが通信を行うように構成されていたが、メディア形式を変換しない場合には、送信側通信端末１１と受信側通信端末１２とが直接（ＭＲサーバ２３を経由することなく）通信を行うように構成されていてもよい。
【００９３】
また、上記第１実施形態は、プレゼンス情報としてユーザにより入力された情報を用いるように構成されていたが、通信端末の位置を表す端末位置情報を用いるように構成されていてもよい。この場合、端末位置情報は、通信端末に搭載されたＧＰＳ（Ｇｌｏｂａｌ  Ｐｏｓｉｔｉｏｎｉｎｇ  Ｓｙｓｔｅｍ）機能、又は、通信端末に搭載された無線通信（例えば、無線ＬＡＮ（Ｌｏｃａｌ  Ａｒｅａ  Ｎｅｔｗｏｒｋ））機能を利用して、予め設定された時間毎に通信端末からＰＲサーバ２２へ送信されることが好適である。
【００９４】
更に、この場合、ＡＰＬサーバ２４は、送信側通信端末１１と受信側通信端末１２とがＭＲサーバ２３を介して通信を行っている間も、ＰＲサーバ２２へユーザ情報要求を送ることにより、最新のユーザ情報を取得するように構成されていることが好適である。加えて、ＡＰＬサーバ２４は、取得した最新のユーザ情報に基づいてメディア形式（第２のメディア形式）を選択し、選択したメディア形式を表す送信メディア情報をＭＲサーバ２３へ送る。そして、ＭＲサーバ２３は、ＡＰＬサーバ２４から受け取った最新の送信メディア情報に基づいて内容情報を変換する。
【００９５】
これによれば、送信側通信端末１１と受信側通信端末１２とがＭＲサーバ２３を介して通信を行っている状態において、受信側通信端末１２の位置が変化した場合であっても、その位置に応じたメディア形式の内容情報を受信側通信端末１２へ送信することができる。具体的には、受信側通信端末１２の位置が電車内から電車外へ移動した場合、その移動に応じて、受信側通信端末１２へ送信される内容情報のメディア形式をテキスト形式から音声形式へ変化させることができる。即ち、プレゼンス情報が変化した場合に、第２のメディア形式を迅速に変更することができる。
【００９６】
また、上記第１実施形態は、受信側通信端末１２の状況に応じて一時的にＭＲサーバ２３が内容情報を記憶するように構成されていてもよい。これによれば、例えば、受信側通信端末１２が通信不能な状態である場合に、ＭＲサーバ２３が内容情報を記憶しておき、その後、受信側通信端末１２が通信可能な状態となったときにＭＲサーバ２３がユーザ情報に応じたメディア形式にて内容情報を受信側通信端末１２へ送信することができる。
【００９７】
＜第２実施形態＞
次に、本発明の第２実施形態に係る通信制御装置について説明する。第２実施形態に係る通信制御装置は、上記第１実施形態に係る通信制御装置に対して、以下の３つの点において相違している。第１の相違点は、ＭＲサーバ２３が内容情報を受信側通信端末１２へ送信する時刻を設定可能に構成されている点である。第２の相違点は、ＭＲサーバ２３が変換した内容情報を送信側通信端末１１に送信することにより送信ユーザＵＡがその内容情報を確認可能に構成されている点である。第３の相違点は、ＭＲサーバ２３が内容情報を音声形式に変換する際の声質を設定可能に構成されている点である。従って、以下、かかる相違点を中心として説明する。
【００９８】
この第２実施形態に係る通信端末１１，１２は、図示しないネットワーク及びゲートウェイを介してＡＰＬサーバ２４と接続されている。これにより、通信端末１１，１２は、ＨＴＴＰ（Ｈｙｐｅｒｔｅｘｔ  Ｔｒａｎｓｆｅｒ  Ｐｒｏｔｏｃｏｌ）に従って、ＡＰＬサーバ２４と通信可能に構成されている。
【００９９】
送信側通信端末１１は、ＡＰＬサーバ２４へ、予め設定されたページを要求するメッセージを送信する。ＡＰＬサーバ２４は、送信側通信端末１１からのメッセージに応じて、送信側通信端末１１へページを表すデータを送信する。これにより、送信側通信端末１１は、ディスプレイに、図５に示した画像を表示させる。
【０１００】
この画像は、内容情報送信先端末特定情報入力欄５０１と、内容情報入力欄５０２と、送信時刻情報入力欄５０３と、声質情報入力欄５０４と、完了通知送信先端末特定情報入力欄５０５と、を含む。
【０１０１】
内容情報送信先端末特定情報入力欄５０１は、内容情報を送信する送信先の通信端末（受信側通信端末）を特定する内容情報送信先端末特定情報（本例では、電話番号）を入力するための入力欄である。
【０１０２】
内容情報入力欄５０２は、テキスト形式の内容情報を入力するための入力欄である。内容情報入力欄５０２は、予め設定されている内容情報の候補の一覧を示し、且つ、その一覧の中から１つの内容情報のみを選択可能な入力欄である。なお、内容情報入力欄５０２は、任意の内容情報（ここでは、文字列）を入力可能な入力欄であってもよい。
【０１０３】
送信時刻情報入力欄５０３は、内容情報を送信する時刻を表す送信時刻情報を入力するための入力欄である。声質情報入力欄５０４は、声質を表す声質情報を入力するための入力欄である。声質情報入力欄５０４は、予め設定されている声質情報の候補の一覧を示し、且つ、その一覧の中から１つの声質情報のみを選択可能な入力欄である。
【０１０４】
完了通知送信先端末特定情報入力欄５０５は、送信完了情報を送信する送信先の通信端末を特定する完了通知送信先端末特定情報（本例では、メールアドレス）を入力するための入力欄である。ここで、送信完了情報は、内容情報の受信側通信端末１２への送信が完了した旨を表す情報である。
【０１０５】
送信側通信端末１１は、ユーザの操作に基づいて、入力情報（内容情報送信先端末特定情報、内容情報、送信時刻情報、声質情報、及び、完了通知送信先端末特定情報）を受け付け、受け付けた入力情報をＡＰＬサーバ２４へ送信する。
【０１０６】
ＡＰＬサーバ２４は、送信側通信端末１１から受け付けた内容情報送信先端末特定情報、内容情報、声質情報、及び、完了通知送信先端末特定情報をＭＲサーバ２３へ送る。更に、ＡＰＬサーバ２４は、変換した内容情報をＭＲサーバ２３から送信側通信端末１１へ送信する旨の指示をＭＲサーバ２３へ送る。
【０１０７】
更に、ＡＰＬサーバ２４は、受け付けた送信時刻情報が表す送信時刻にて、変換した内容情報をＭＲサーバ２３から受信側通信端末（内容情報送信先端末特定情報により特定される通信端末）１２へ送信する旨の指示をＭＲサーバ２３へ送る。加えて、ＡＰＬサーバ２４は、受信側通信端末１２への内容情報の送信が完了した場合に、送信側通信端末（完了通知送信先端末特定情報により特定される通信端末）１１へ送信完了情報を送信する旨の指示をＭＲサーバ２３へ送る。
【０１０８】
ＭＲサーバ２３は、ＡＰＬサーバ２４から受け取った音声情報が表す声質の音声を表す内容情報を生成するように、ＡＰＬサーバ２４から受け取った内容情報をテキスト形式から音声形式へ変換する（ＡＰＬサーバ２４から受け付けた声質情報に基づいて内容情報を変換する）。
【０１０９】
更に、ＭＲサーバ２３は、ＡＰＬサーバ２４からの指示に応じて、変換した内容情報を、送信側通信端末１１又は受信側通信端末１２へ送信する。また、ＭＲサーバ２３は、ＡＰＬサーバ２４からの指示に応じて、受信側通信端末１２への内容情報の送信が完了した場合に送信完了情報を送信側通信端末１１へ送信する。
【０１１０】
図６は、上記のように構成された、ＣＣサーバ２１、ＰＲサーバ２２、ＭＲサーバ２３及びＡＰＬサーバ２４の機能（通信制御装置の機能）のうちの本発明に係る機能を表すブロック図である。この機能は、各サーバ２１〜２４のＣＰＵが記憶装置に記憶されているプログラムを実行することにより実現される。
【０１１１】
通信制御装置の機能は、ユーザ情報受付部（ユーザ情報受付手段）３１と、内容情報受付部（内容情報受付手段）３２と、変換部（変換手段）３３と、内容情報送信部（内容情報送信手段）３４と、声質情報受付部（声質情報受付手段）３５と、送信時刻情報受付部（送信時刻情報受付手段）３６と、確認用内容情報送信部（確認用内容情報送信手段）３７と、送信完了情報送信部（送信完了情報送信手段）３８と、を含む。ユーザ情報受付部３１〜内容情報送信部３４は、上記第１実施形態に係るユーザ情報受付部３１〜内容情報送信部３４とそれぞれ同様である。
【０１１２】
声質情報受付部３５は、送信側通信端末１１から送信された声質情報を受け付ける。声質情報受付部３５は、ＡＰＬサーバ２４が送信側通信端末１１から声質情報を受け付けることに対応している。なお、この第２実施形態に係る変換部３３は、声質情報受付部３５により受け付けた声質情報に基づいて内容情報を変換する。
【０１１３】
送信時刻情報受付部３６は、送信側通信端末１１から送信された送信時刻情報を受け付ける。送信時刻情報受付部３６は、ＡＰＬサーバ２４が送信側通信端末１１から送信時刻情報を受け付けることに対応している。なお、この第２実施形態に係る内容情報送信部３４は、送信時刻情報受付部３６により受け付けた送信時刻情報が表す時刻にて内容情報を送信する。
【０１１４】
確認用内容情報送信部３７は、変換部３３により変換された内容情報を送信側通信端末１１へ送信する。確認用内容情報送信部３７は、ＭＲサーバ２３が、変換した内容情報を送信側通信端末１１へ送信することに対応している。
【０１１５】
送信完了情報送信部３８は、内容情報送信部３４による内容情報の受信側通信端末１２への送信が完了した場合にその旨を表す送信完了情報を送信側通信端末１１へ送信する。送信完了情報送信部３８は、ＭＲサーバ２３が送信完了情報を送信側通信端末１１へ送信することに対応している。
【０１１６】
次に、第２実施形態に係る通信システム１の作動のうちの本発明に係る作動について、図７及び図８を参照しながら説明する。図７は、通信システム１の作動を示すシーケンス図である。図８は、通信システム１内の情報の流れを概念的に示した説明図である。
【０１１７】
先ず、受信ユーザＵＢが受信側通信端末１２を操作することにより、受信側通信端末１２は、ユーザ情報をＰＲサーバ２２へ送信する（図７のステップＳ３１、図７及び図８の矢印（Ａ））。
【０１１８】
いま、このユーザ情報が「視覚に障害を有する」を表すプロファイル情報を含む場合を想定して説明を続ける。更に、ＡＰＬサーバ２４の記憶装置に記憶されている送信メディア形式テーブルにおいては、プロファイル情報としての「視覚に障害を有する」と、メディア形式としての「音声形式」と、が対応付けて記憶されている場合を想定する。
【０１１９】
これにより、ＰＲサーバ２２は、受信側通信端末１２からユーザ情報を受け付け、受け付けたユーザ情報と、受信側通信端末１２を識別する端末識別情報と、を対応付けて記憶装置に記憶させる（ユーザ情報受付工程の一部）。
【０１２０】
その後、送信ユーザＵＡが送信側通信端末１１を操作することにより、送信側通信端末１１は、ＡＰＬサーバ２４へ、上記ページを要求するメッセージを送信する。ＡＰＬサーバ２４は、送信側通信端末１１からのメッセージに応じて、送信側通信端末１１へページを表すデータを送信する。これにより、送信側通信端末１１は、ディスプレイに、図５に示した画像を表示させる。
【０１２１】
そして、送信ユーザＵＡは、送信側通信端末１１を操作することにより、受信側通信端末１２を特定する内容情報送信先端末特定情報と、内容情報と、送信時刻情報と、声質情報と、送信側通信端末１１を特定する完了通知送信先端末特定情報と、を入力する。これにより、送信側通信端末１１は、送信ユーザＵＡにより入力された内容情報送信先端末特定情報、内容情報、送信時刻情報、声質情報及び完了通知送信先端末特定情報をＡＰＬサーバ２４へ送信する（図７のステップＳ３２、図７及び図８の矢印（１））。
【０１２２】
そして、ＡＰＬサーバ２４は、送信側通信端末１１から、内容情報送信先端末特定情報、内容情報、送信時刻情報、声質情報及び完了通知送信先端末特定情報を受け付ける（内容情報受付工程、送信時刻情報受付工程及び声質情報受付工程）。ＡＰＬサーバ２４は、受け付けた内容情報送信先端末特定情報を端末識別情報として含むユーザ情報要求をＰＲサーバ２２へ送信する（図７のステップＳ３３、図７及び図８の矢印（２））。
【０１２３】
次いで、ＰＲサーバ２２は、ＡＰＬサーバ２４からユーザ情報要求を受け付けると、受け付けたユーザ情報要求に応じて、そのユーザ情報要求に含まれる端末識別情報と対応付けて記憶されているユーザ情報をＡＰＬサーバ２４へ送信する（図７のステップＳ３４、図７及び図８の矢印（３）、ユーザ情報受付工程の一部）。
【０１２４】
そして、ＡＰＬサーバ２４は、ＰＲサーバ２２からユーザ情報を受け付けると、受け付けたユーザ情報と、記憶されている送信メディア形式テーブルと、に基づいて、第２のメディア形式を選択する（図７のステップＳ３５、変換工程の一部）。上記仮定に従えば、ＡＰＬサーバ２４は、第２のメディア形式として音声形式を選択する。
【０１２５】
そして、ＡＰＬサーバ２４は、選択した第２のメディア形式（ここでは、音声形式）を表す送信メディア情報と、受け付けた内容情報及び声質情報と、をＭＲサーバ２３へ送信する（図７のステップＳ３６、図７及び図８の矢印（４））。
【０１２６】
次いで、ＭＲサーバ２３は、ＡＰＬサーバ２４から内容情報、声質情報及び送信メディア情報を受け付けると、受け付けた内容情報を、受け付けた声質情報が表す声質の音声を表す情報とするように、テキスト形式から音声形式（第２のメディア形式）へ変換する（図７のステップＳ３７、変換工程の一部）。
【０１２７】
そして、ＡＰＬサーバ２４は、送信側通信端末１１とＭＲサーバ２３との間にセッションを確立するための指示をＣＣサーバ２１へ送信する（図７のステップＳ３８、図７及び図８の矢印（５））。更に、ＡＰＬサーバ２４は、変換した内容情報をＭＲサーバ２３から送信側通信端末１１へ送信する旨の指示をＭＲサーバ２３へ送る。
【０１２８】
そして、ＣＣサーバ２１は、送信側通信端末１１とＭＲサーバ２３との間にセッションを確立するためのメッセージを送信側通信端末１１及びＭＲサーバ２３へ送信する（図７のステップＳ３９、図７及び図８の矢印（６））。これにより、送信側通信端末１１とＭＲサーバ２３との間にセッションが確立される。
【０１２９】
次いで、ＭＲサーバ２３は、変換した内容情報を送信側通信端末１１へ送信する（図７のステップＳ４０、図７及び図８の矢印（７）、確認用内容情報送信工程）。これにより、送信側通信端末１１は、変換された内容情報を受信する。この結果、送信ユーザＵＡは、変換された内容情報を確認することができる。
【０１３０】
その後、ＡＰＬサーバ２４は、受け付けた送信時刻情報が表す送信時刻になったとき、受信側通信端末１２とＭＲサーバ２３との間にセッションを確立するための指示をＣＣサーバ２１へ送信する（図７のステップＳ４１、図７及び図８の矢印（８））。更に、ＡＰＬサーバ２４は、変換した内容情報をＭＲサーバ２３から受信側通信端末１２へ送信する旨の指示をＭＲサーバ２３へ送る。加えて、ＡＰＬサーバ２４は、受信側通信端末１２への内容情報の送信が完了した場合に、送信側通信端末１１へ送信完了情報を送信する旨の指示をＭＲサーバ２３へ送る。
【０１３１】
そして、ＣＣサーバ２１は、受信側通信端末１２とＭＲサーバ２３との間にセッションを確立するためのメッセージを受信側通信端末１２及びＭＲサーバ２３へ送信する（図７のステップＳ４２、図７及び図８の矢印（９））。これにより、受信側通信端末１２とＭＲサーバ２３との間にセッションが確立される。
【０１３２】
次いで、ＭＲサーバ２３は、変換した内容情報を受信側通信端末１２へ送信する（図７のステップＳ４３、図７及び図８の矢印（１０）、内容情報送信工程）。これにより、受信側通信端末１２は、変換された内容情報を受信する。この結果、受信ユーザＵＢは、音声形式にて内容情報を受け取ることができる。
【０１３３】
そして、ＭＲサーバ２３は、内容情報の受信側通信端末１２への送信が完了すると、送信完了情報を送信側通信端末１１へ送信する（図７のステップＳ４４、図７及び図８の矢印（１１）、送信完了情報送信工程）。
【０１３４】
次に、「聴覚に障害を有する」を表すプロファイル情報を含むユーザ情報が受信側通信端末１２からＰＲサーバ２２へ送信された場合について説明する。更に、ＡＰＬサーバ２４の記憶装置に記憶されている送信メディア形式テーブルにおいては、プロファイル情報としての「聴覚に障害を有する」と、メディア形式としての「テキスト形式」と、が対応付けて記憶されている場合を想定する。
【０１３５】
この場合、ＡＰＬサーバ２４は、第２のメディア形式としてテキスト形式を選択する。従って、ＭＲサーバ２３は、テキスト形式の内容情報をＡＰＬサーバ２４から受け付けたとき、受け付けた内容情報を変換することなく受信側通信端末１２へ送信する。これにより、受信側通信端末１２は、テキスト形式にて内容情報を受信する。この結果、受信ユーザＵＢは、テキスト形式にて内容情報を受け取ることができる。
【０１３６】
以上、説明したように、本発明による通信制御装置の第２実施形態によれば、受信ユーザＵＢの状況及び／又は受信ユーザＵＢの特徴に応じたメディア形式の内容情報が受信側通信端末１２へ送信される。即ち、通信制御装置は、受信ユーザＵＢが希望するメディア形式にて内容情報を送信する。これにより、受信側通信端末１２は、受信ユーザＵＢが希望するメディア形式にて内容情報を受信することができる。この結果、送信ユーザＵＡから受信ユーザＵＢへ内容情報を迅速且つ確実に伝達することができる。
【０１３７】
更に、上記第２実施形態は、送信ユーザＵＡが入力した送信時刻情報が表す時刻にて内容情報を受信側通信端末１２（受信ユーザＵＢ）へ送信するように構成されている。これにより、送信ユーザＵＡは、送信したい時刻にて確実に内容情報を送信させることができる。
【０１３８】
加えて、上記第２実施形態は、送信ユーザＵＡが入力した声質情報が表す声質の音声を表す内容情報を受信側通信端末１２（受信ユーザＵＢ）へ送信するように構成されている。これにより、送信ユーザＵＡが入力した声質情報が表す声質の音声を、受信ユーザＵＢに聞かせることができる。
【０１３９】
また、上記第２実施形態は、内容情報の受信側通信端末１２への送信が完了した場合にその旨を表す送信完了情報を送信側通信端末１１へ送信するように構成されている。これによれば、送信ユーザＵＡは、内容情報の送信が完了した旨を認識することができる。この結果、送信ユーザＵＡは、その旨に応じて迅速に行動することができる。即ち、送信ユーザＵＡの利便性を向上させることができる。
【０１４０】
更に、上記第２実施形態は、変換された内容情報を送信側通信端末１１へ送信するように構成されている。これによれば、送信ユーザＵＡは、変換された内容情報を確認することができる。即ち、送信ユーザＵＡの利便性を向上させることができる。
【０１４１】
なお、上記第２実施形態は、ＭＲサーバ２３が内容情報を受信側通信端末１２へ送信する時刻を設定する機能を有しないように構成されていてもよい。また、上記第２実施形態は、ＭＲサーバ２３が変換した内容情報を送信側通信端末１１に送信する機能を有しないように構成されていてもよい。また、上記第２実施形態は、ＭＲサーバ２３が内容情報を音声形式に変換する際の声質を設定する機能を有しないように構成されていてもよい。
【０１４２】
なお、本発明は上記各実施形態に限定されることはなく、本発明の範囲内において種々の変形例を採用することができる。例えば、上記各実施形態は、ＳＩＰに従って通信を行うように構成されていたが、ＳＩＰ以外のプロトコルに従って通信を行うように構成されていてもよい。また、上記各実施形態においては、通信端末は、携帯電話端末であったが、固定電話端末、ＰＤＡ（Ｐｅｒｓｏｎａｌ  Ｄａｔａ  Ａｓｓｉｓｔａｎｃｅ）、シンクライアント端末、パーソナルコンピュータ、スマートフォン、ＰＨＳ（Ｐｅｒｓｏｎａｌ  Ｈａｎｄｙｐｈｏｎｅ  Ｓｙｓｔｅｍ）、カーナビゲーション装置又はゲーム機等であってもよい。
【０１４３】
また、上記各実施形態は、ユーザ情報がＳＩＰに従って受信側通信端末１２からＰＲサーバ２２へ送信されるように構成されていたが、ユーザ情報がＨＴＴＰに従って受信側通信端末１２からＡＰＬサーバ２４へ送信されるとともに、ＡＰＬサーバ２４が受信したユーザ情報をＰＲサーバ２２へ送ることによりＰＲサーバ２２がユーザ情報を記憶するように構成されていてもよい。
【０１４４】
更に、上記各実施形態においては、ユーザ情報は、プレゼンス情報及びプロファイル情報の両方を含んでいたが、いずれか一方のみを含んでいてもよい。
【産業上の利用可能性】
【０１４５】
本発明は、複数の携帯電話端末と携帯電話端末間の通信を制御するサーバとを含む携帯電話システム等に適用可能である。また、音声によるメッセージを送信する音声電報システム等に適用可能である。
【図面の簡単な説明】
【０１４６】
【図１】本発明の第１実施形態に係る通信システムの概略構成を表す図である。
【図２】図１に示した通信システムの機能の概略を表すブロック図である。
【図３】図１に示した通信システムの作動を示すシーケンス図である。
【図４】図１に示した通信システム内の情報の流れを概念的に示した説明図である。
【図５】本発明の第２実施形態に係る通信システムにおいて通信端末のディスプレイに表示される画像を示した図である。
【図６】本発明の第２実施形態に係る通信システムの機能の概略を表すブロック図である。
【図７】本発明の第２実施形態に係る通信システムの作動を示すシーケンス図である。
【図８】本発明の第２実施形態に係る通信システム内の情報の流れを概念的に示した説明図である。
【符号の説明】
【０１４７】
１      通信システム
１１    通信端末（送信側通信端末）
１２    通信端末（受信側通信端末）
２１    呼制御サーバ（ＣＣサーバ）
２２    プレゼンスサーバ（ＰＲサーバ）
２３    メディアサーバ（ＭＲサーバ）
２４    アプリケーションサーバ（ＡＰＬサーバ）
３０    ＳＩＰサーバ
３１    ユーザ情報受付部
３２    内容情報受付部
３３    変換部
３３ａ  メディア形式選択部
３３ｂ  変換処理部
３４    内容情報送信部
３５    声質情報受付部
３６    送信時刻情報受付部
３７    確認用内容情報送信部
３８    送信完了情報送信部
ＮＷ    ネットワーク
【図１】
2009272984.tif 000003
【図２】
2009272984.tif 000004
【図３】
2009272984.tif 000005
【図４】
2009272984.tif 000006
【図５】
2009272984.tif 000007
【図６】
2009272984.tif 000008
【図７】
2009272984.tif 000009
【図８】
2009272984.tif 000010